(57)【要約】【課題】  布団綿が簡単に外して洗濯することができ、洗濯した後に簡単に入れることができる布製の袋に収納されている敷き布団を提供すること。【解決手段】  布団綿と、それを収容する一面又は両面が綿をキルティングした布団カバーからなる、敷き布団であって、布団綿が、ポリエステル繊維の不織布マットからなる適度な硬さを持った板状の布団綿からなり、布団カバーが、四角形状の該布団カバーの上下両面の間に設けられたファスナーが、布団カバーの一辺全体とその両側の隣接辺の一部だけに連続して、全体としてコ字状に設けられていることを特徴とする、敷き布団。布団カバーが、表地と裏地の間に中綿を入れてキルティングしたキルティング生地が少なくとも布団綿の上面に位置するように袋状に形成されている。【選択図】        図３
2012005685.tif 000002
【特許請求の範囲】
【請求項１】
布団綿と、それを収容する一面又は両面が綿をキルティングした布団カバーからなる、敷き布団であって、布団綿が、ポリエステル繊維の不織布マットからなる適度な硬さを持った板状の布団綿からなり、布団カバーが、四角形状の該布団カバーの上下両面の間に設けられたファスナーが、布団カバーの一辺全体とその両側の隣接辺の一部だけに連続して、全体としてコ字状に設けられていることを特徴とする、敷き布団。
【請求項２】
布団カバーが、表地と裏地の間に中綿を入れてキルティングしたキルティング生地が少なくとも布団綿の上面に位置するように袋状に形成されている請求項１に記載の敷き布団。
【請求項３】
布団カバーが、布団綿の厚みにあわせたマチがついている請求項１または２に記載の敷き布団。
【請求項４】
上記のコ字状に設けられているファスナーが、布団カバーの上下両面の境に設けられている、請求項１、２または３に記載の敷き布団。
【請求項５】
上記のコ字状に設けられているファスナーが、マチの部分の中間位置に設けられている請求項３に記載の、敷き布団。
【請求項６】
適度な硬さを持った板状の布団が、ポリエステル繊維の不織布マットを高温に加熱し、回転ロールを通過させて表裏両面に、長手方向に連続して並ぶ断面円弧形状の多数の小突条を形成するとともに、該表面側小突条と裏面側小突条とにおける円弧面の曲率半径を異ならしめ、かつ、円弧面の曲率中心を長手方向にずらした波板状の布団綿からなる請求項１ないし５のいずれかに記載の、敷き布団。
【発明の詳細な説明】
【技術分野】
【０００１】
本発明は、敷き布団に関するものである。
【背景技術】
【０００２】
仰臥時における人体は、腰椎を含む腰部が上方に湾曲していることから、床面との間に空隙が生ずる。人の脊椎は背中部と臀部とが隆起し、腰部で降下する断面Ｓ字カーブをなしており、ほとんどの体型の人が、肩胛骨と臀部とを結んだ直線から腰部までの間が３ｃｍ以上あり、腰部がそれだけ窪んでいることが実測値として判っている。
このため、就寝時などに敷き布団上にて仰臥体勢にある人体は、敷き布団との間に空隙が生じた状態のもとで、何等の下支え手段も介在させることなく腰部に掛け布団の重量や人体の自重に由来する重力を直接に受けることになる。一般の敷き布団の厚みが６〜８ｃｍ程度であるため、肩部と臀部とに相当する敷き布団の沈み込み量を考慮しても、腰部はその窪みにより浮き上がる状態となり、布団の面には腰部が接していないのが実情である。
したがって、通常の敷き布団では、腰部は敷き布団に保持されていないことになり、肩部と臀部とで架橋しているような姿勢で寝ていることになる。そうだとすると腰部自身の重量を腰部の脊椎で受け止めなければならないため、腰部の脊椎に無理な力がかかる。仰臥休養状態にある人体（例えば睡眠中の人体）は、気付かぬうちに腰部の周辺筋肉を緊張させる結果、起床時に疲労に由来する寝覚めの悪さやだるさを感じさせることになる。そこで、身体の腰部に相当する箇所をさらに嵩高くすることができ、体格に応じた対応をとることができる敷き布団が提案されている（特許文献１）。
【０００３】
通常の敷き布団は、布製の袋（布団側）に綿または化繊の中綿を詰め、その口を閉じて作られ、使用の際は、上にシーツが敷かれる。そして、使用によりシーツが汗や皮脂、垢等で汚れた場合は、シーツを外して洗濯している。最近では、消費者の清潔指向が強くなり、家庭用洗濯機で丸ごと洗濯できる敷き布団が要求されるようになってきたため、中綿として通常の柔らかい綿や不織布を薄く入れた敷き布団（敷パット）が開発され、普通の敷き布団またはその中綿の代わりに硬綿や発泡樹脂を用いた下敷きマットの上に重ねて使用されるようになった。しかしながら、上記の敷きパットは、単に洗濯できるというだけであり、中綿に従来の綿を使用しているため、洗濯すると綿が嵩減りしてフェルト化すると共に、洗濯後の乾燥に長時間を要する等の問題があり、さらに従来の敷き布団や下敷きマットの上に重ねて使用するため、１枚の敷き布団として使用できず、重ねた後にずれる等の問題があった。
そこで、従来の敷きパットに対応する袋状パットと従来の下敷きマットに対応する板状の支持マットとからなる敷き布団であって、上記の袋状パットが従来の敷きパットと同様に家庭用洗濯機で丸ごと洗濯することができ、しかも洗濯によって中綿が嵩減りしてフェルト化することがなく、かつ乾燥時間が短縮され、更に袋状パットが支持マットに対して着脱自在に取付けられ、これらを一体にして扱うことが可能な敷き布団が提案されている（特許文献２）。
【先行技術文献】
【特許文献】
【０００４】
【特許文献１】特開２００６−３４６２１８号公報
【特許文献２】特開平９−１５４６７４号公報
【特許文献３】特開２００５−２１３６８号公報
【発明の概要】
【発明が解決しようとする課題】
【０００５】
本発明は、仰臥休養状態にある人体（例えば睡眠中の人体）との接触面積を可及的に低減するとともに、通気性を確保することができる構造の布団綿であって、その布団綿が簡単に外して洗濯することができ、洗濯した後に簡単に入れることができる布製の袋に収納されている敷き布団を提供することを目的としている。
【課題を解決するための手段】
【０００６】
本発明は、下記（１）ないし（６）に記載の敷き布団を要旨としている。
（１）布団綿と、それを収容する一面又は両面が綿をキルティングした布団カバーからなる、敷き布団であって、布団綿が、ポリエステル繊維の不織布マットからなる適度な硬さを持った板状の布団綿からなり、布団カバーが、四角形状の該布団カバーの上下両面の間に設けられたファスナーが、布団カバーの一辺全体とその両側の隣接辺の一部だけに連続して、全体としてコ字状に設けられていることを特徴とする、敷き布団。
（２）布団カバーが、表地と裏地の間に中綿を入れてキルティングしたキルティング生地が少なくとも布団綿の上面に位置するように袋状に形成されている上記の（１）に記載の敷き布団。
（３）布団カバーが、布団綿の厚みにあわせたマチがついている上記の（１）または（２）に記載の敷き布団。
（４）上記のコ字状に設けられているファスナーが、布団カバーの上下両面の境に設けられている、上記の（１）、（２）または（３）に記載の敷き布団。
（５）上記のコ字状に設けられているファスナーが、マチの部分の中間位置に設けられている上記の（３）に記載の、敷き布団。
（６）適度な硬さを持った板状の布団が、ポリエステル繊維の不織布マットを高温に加熱し、回転ロールを通過させて表裏両面に、長手方向に連続して並ぶ断面円弧形状の多数の小突条を形成するとともに、該表面側小突条と裏面側小突条とにおける円弧面の曲率半径を異ならしめ、かつ、円弧面の曲率中心を長手方向にずらした波板状の布団綿からなる上記の（１）ないし（５）のいずれかに記載の、敷き布団。
【発明の効果】
【０００７】
本発明により、ポリエステル繊維の不織布マットからなる適度な硬さを持った板状の布団綿であることで、仰臥休養状態にある人体（例えば睡眠中の人体）との接触面積を可及的に低減するとともに、通気性を確保することができる構造の布団綿と、一面又は両面が綿をキルティングした生地で縫製して、安眠・快眠を布団カバーとからなる、敷き布団を提供することができる。
ポリエステル繊維の不織布マットからなる適度な硬さを持った板状の布団綿が適度な硬さを有することと布団カバーが、四角形状の該布団カバーの上下両面の境または間に設けられたファスナーが、布団カバーの一辺全体とその両側の隣接辺の一部だけに連続して、全体としてコ字状に設けられていることが併さって、板状の布団綿の取り扱いが容易であり、かつ、布団カバーが布団綿から簡単に外して洗濯することができ、洗濯した後に簡単に入れることができる敷き布団を提供することができる。
【図面の簡単な説明】
【０００８】
【図１】本発明の一実施の態様の敷き布団の斜視図である。
【図２】本発明の一実施の態様の布団綿の一部分の断面図である。
【図３】四角形状の該布団カバーの上下両面の境に設けられたファスナーが、布団カバーの一辺全体とその両側の隣接辺の一部だけに連続して、全体としてコ字状に設けられている本発明の一実施の態様を説明する図面である。
【図４】マチ付きで両面キルティング生地を用い、コ字状に設けられているファスナーが、マチの部分の中間位置に設けられている、布団カバーの別の態様の説明図である。
【図５】マチ付きで片面キルティング生地を用い、コ字状に設けられているファスナーが、マチの部分の中間位置に設けられている、布団カバーの別の態様の説明図である。
【図６】本発明の一実施の態様の敷き布団綿２を製造するための装置が準拠する装置の概略構成図である。
【発明を実施するための最良の形態】
【０００９】
［敷き布団］
本発明の敷き布団１は、家庭用を含む普通の敷布団として使用されるものであり、布団綿２と、それを収容する一面又は両面が綿をキルティングした布団カバー３からなる。布団綿２を収容する布団カバー３は、布団綿から簡単に外して洗濯することができる。洗濯した後に簡単に布団綿を入れることができる。
【００１０】
［布団綿］
本発明の一実施の態様の布団綿２は、例えば、ポリエステルやレーヨン等の繊維からなる短繊維（５０〜８５％）と１２０℃〜２５０℃の範囲で溶融する低融点ポリエステルからなる短繊維（１５〜５０％）とを積層することにより製造される。この敷き布団綿２の密度は、０．８〜４．５ｋｇ／ｍ２とされるのが望ましい。
本発明の他の実施の態様のポリエステル繊維の不織布マットからなる適度な硬さを持った板状の布団綿は、ポリエステル繊維と低融点繊維を絡めたポリエステル繊維を配合して混合した後、ほぐし工程およびすき工程によりウェブを形成し、これを多層積層したものを、上下とも同方向に進むパンプレート上下の間隔１００ミリにて挟み込み前方へ、その際２００℃前後の加熱を行い、次に上下間隔３０ミリに設定したパンプレートにて前方に進むと同時に冷却し成形した、３．２ｋｇ／ｍ２、厚み３０ミリの積層体が例示される。
波板状の布団綿（ウエーブ綿）の製造工程は，上記の板状の布団綿（板綿）と同じ流れで、成形している所（羽がある所）は熱処理機（熱風炉）と冷却の間に設置して、原料投入から製品までオンラインで製造する。また、熱風炉、冷却装置共に厚さが調整できる。冷却装置の厚さの調整は、薄くしすぎるとウエーブの形が崩れるので５〜１０ｃｍの調整が望ましい。
【００１１】
本発明の一実施の態様の布団綿２の表裏両面には、図２に示すように、長手方向に連続して並ぶ断面円弧形状の多数の小突条４，４・・および５，５・・がそれぞれ一体に形成されている。符号６，７は小突条４，４・・および５，５・・間に形成される凹部、３は布団カバーである。
【００１２】
そして、図２に示すように、前記各表面側小突条４における円弧面４ａの曲率半径Ｒ１は、各裏面側小突条５における円弧面５ａの曲率半径Ｒ２より小さくされている。従って、表面側小突条４，４・・の間には大きな空気層が形成され、裏面側小突条５，５・・の間には小さな空気層が形成されることとなる。また、前記各表面側小突条４における円弧面４ａの曲率中心Ｏ１と各裏面側小突条５における円弧面５ａの曲率中心Ｏ２とは長手方向に所定距離（例えば、小突条４，５の幅寸法の半分だけ）ずらされている。
【００１３】
［布団綿の製造］
本発明の一実施の態様の布団綿２は、図６に示される装置に準拠する装置を用いて次のようにして製造される（特許文献３参照）。図６に準拠する装置においては、例えば１８０℃程度の熱風炉１１と冷却炉１２との間に前記熱風炉１１から冷却炉１２へと搬送される敷き布団綿２の上下に位置し外周に複数の羽根１３ａ，１３ａ・・および１４ａ，１４ａ・・を周方向等間隔にそれぞれ設けてなる一対の回転ロール１３，１４を配設して構成された製造装置を用いて製造される。図６において６枚で図示されている羽は、本実施の形態においては１６枚である。また、本実施の形態においてはロールの羽は上下とも（１３ａ，１３ａ・・および１４ａ，１４ａ・・）高さ・ピッチは同じであり、前記回転ロール１３，１４の回転中心Ｃ１，Ｃ２は、敷き布団綿２の搬送方向に所定寸法だけずらされている。回転ロール１３，１４は、互いに反対方向（即ち、矢印Ｍ方向および矢印Ｎ方向）に回転されることとなっている。
【００１４】
そして、熱風炉１１を通る過程で高温に加熱された敷き布団綿２の表裏両面には、回転ロール１３，１４の回転に伴って長手方向に連続して並ぶ断面円弧形状の多数の小突条４，４・・および５，５・・がそれぞれ一体に形成される。各表面側小突条４と各裏面側小突条５における円弧面５ａとは長手方向に所定距離（小突条４，５の幅寸法の半分だけ）ずらされることとなる。
ロールの羽は上下とも高さ・ピッチは同じであるが、布団綿の断面形状は成形時の綿の押し込み具合と冷却時に決まる（図２参照）。
上記の方法で表裏両面に、長手方向に連続して並ぶ断面円弧形状の多数の小突条を形成するとともに、該表面側小突条と裏面側小突条とにおける円弧面の曲率半径を異ならしめ、かつ、円弧面の曲率中心を長手方向にずらした波板状の布団綿を製造する。
【００１５】
上記のように構成された敷き布団綿２を用いた敷き布団１においては、次のような作用効果が得られる。仰臥休養状態にある人体（例えば睡眠中の人体）は断面円弧形状の多数の小突条４，４・・あるいは５，５・・と接触することとなるため、接触面積が大幅に低減することとなるし、当該人体と敷き布団綿２との間に大きな空気層が形成されることとなるため、通気性を確保することもできる。睡眠中の人体は安眠することができる。
また、成形時の綿の押し込み具合と冷却時に決まる表面側小突条４，４・・における円弧面４ａ，４ａ・・の曲率半径は、裏面側小突条５，５・・における円弧面５ａ，５ａ・・の曲率半径より小さく形成されるため、曲率半径が小さい方の表面側小突条４，４・・を形成している側を上向きとして使用すれば、夏季のように大きな通気性を必要とする場合に好適となるし、曲率半径が大きい方の裏面側小突条５，５・・を形成している側を上向きとして使用すれば、冬季のようにあまり通気性を必要としない場合に好適となる。
さらに、表面側小突条４，４・・と裏面側小突条５，５・・とが対向することなく反対側には凹部６，６・・および７，７・・が位置することとなるため、多数の小突条４，４・・および５，５・・を形成しているにもかかわらず良好なクッション性を確保することができる。
【００１６】
上記実施の形態においては、敷き布団綿２と小突条４，４・・および５，５・・とは一体とされているが、別体構成の小突条４，４・・および５，５・・を敷き布団綿２の表裏両面に貼設する場合もある。
【００１７】
［布団カバー］
布団カバー３は、布団綿２を収容する一面又は両面が綿をキルティングした布団カバーを用い、敷き布団を構成する。一面をキルティング生地で用いた例が図１および図５に、両面をキルティング生地で用いた例が図４に示されている。
通常の敷き布団は、布製の袋（表地）に綿または化繊の中綿を詰め、その口を閉じて作られ、使用の際は、上にシーツが敷かれる。そして、使用によりシーツが汗や皮脂、垢等で汚れた場合は、シーツを外して洗濯している。敷き布団が汚れた場合は、表地を外して洗濯するが、表地の開閉や中綿の出入に多大の手間を必要とした。本発明は、敷き布団綿２に対して布団カバー（布製の袋）３が着脱自在に取付けられ、これらを一体にして扱うことが可能な敷き布団を提供するものである。
【００１８】
本発明の布団カバー３は、一面又は両面が綿をキルティングした生地で縫製している。表地と裏地の間に中綿を入れ、それを糸で、直線や一定の模様の周期を繰り返す曲線で、編み目状に縫い合わせることを行った生地であり、安眠・快眠を得るために必要な保温性と通気性（吸・放湿性）を担保する敷き布団を構成し、上記布団綿の構造は適度な硬さを担保する敷き布団を構成する。硬い敷き布団の場合は、比較的限られた範囲で体が体重を支える。そのため、その箇所の筋肉の緊張の程度は柔らかい布団の場合よりも大きくなってしまうが、寝返りを打つことによって筋肉は交代で休息をとることができ、安眠・快眠に対して有利となると言われている。
キルティングの模様８は、表地と裏地の質、その間に中綿の量などと併せて、上記の機能を満足するものであれば特に制限がない。
上記の布団綿２に被着する布団カバー３は、布団綿２を被覆することができ、かつ布団綿２に対して着脱自在に被着できるものであればよく、形や構造は任意であるが、基本形状は布団綿２の形状である四角形状のものであることが望ましい。布団カバー３が、四角形状の該布団カバーの上下両面の間に設けられたファスナーが、布団カバーの一辺全体とその両側の隣接辺の一部だけに連続して、全体としてコ字状に設けられていることを特徴とする。上記のコ字状に設けられているファスナーは、布団カバーの上下両面の境に設けられている、態様（図２参照）、マチの部分の中間位置に設けられている態様（図４、５参照）が好ましいものとして例示される。ファスナー９はエレメント１０が金属でできている金属ファスナー、エレメント１０がコイル状の樹脂でできている樹脂ファスナーなど滑り式留金具であるスライドファスナーが用いられる。そして、布団綿２の少なくとも上面を被覆する上面被覆部は比較的緻密な表地３−１と比較的粗い組織の裏地３−２とで袋状に形成され、この表地および裏地には、洗濯でほとんど収縮しない低収縮性の布地、例えばポリエステル織物またはポリエステル／綿混織物が用いられる。また、防縮加工を施したものであれば、綿１００％の綿織物の使用も可能である。
【００１９】
布団カバー３の表地３−１と裏地３−２との間に入れる中綿（図示せず）には、ポリエステル等の合成繊維からなる繊維間静摩擦係数０．２０以下の低摩擦繊維からなる合繊綿が用いられる。この低摩擦繊維は、例えばポリエステル繊維にシリコーン系樹脂を塗布し、熱固定して得られるが、その繊維間静摩擦係数が０．２０を超える場合は、使用や洗濯によって嵩減りしてフェルト化する。この低摩擦繊維は、その一部を他の繊維、例えば通常のポリエステル繊維、アクリル繊維、ポリプロピレン繊維等の合繊綿で置換することができる。ただし、低摩擦繊維の含有量は３０％以上、好ましくは５０％以上を必要とし、低摩擦繊維の含有量が３０％未満になると、嵩減りしてフェルト化する。本発明において、キルティング生地の中綿は、ポリエステル繊維、防ダニ、抗菌防臭、吸汗などの機能性をもったポリエステル繊維、羊毛、綿などいろいろな組み合わせができる。
【００２０】
上記中綿の目付量は、布団カバー３の裏地３−２と、布団綿との間に空隙が生じて、布団カバー３を布団綿２に対して着脱自在に被着できる範囲で任意に設定することができる。寝心地のために布団綿の適度な硬さを打ち消すことない範囲、家庭用洗濯機による洗濯が可能な範囲、布団綿２の上面のみに中綿を重ねるか上下両面に中綿を重ねるか、等種々の要因を考慮して、１００〜１２００ｇ／ｍ2 に設定される。
【００２１】
本発明の敷き布団は、布団綿２に布団カバー３を被着使用される。その場合、比較的硬い感触の板状の布団綿上に布団カバー３のキルティング生地の薄く柔らかい中綿が位置するので、人体が沈むことはなく、しかも感触の良い健康的な寝心地が得られる。一方、洗濯の際は、板状の布団綿２から布団カバーを外して丸めると、中綿の目付量が１２００ｇ／ｍ2 以下であるため、家庭用洗濯機の槽に入れて洗濯することが可能になる。また、洗濯脱水後の乾燥においては、中綿が合繊綿であるため、乾燥し易く、温度１５℃以上、相対湿度７０％以下であれば、天日干し１日で乾燥する。
上記中綿の３０％以上が繊維間静摩擦係数０．２０以下であり、繊維相互の接触部が滑り易いため、中綿が嵩減りしてフェルト化することがなく、もとの風合いと嵩に戻り易い。また、中綿を挟んでいる表地と裏地とがキルティングで接結されているため、上記の中綿に偏りが生じたり、中綿がちぎれたりすることはない。また、表地および裏地が低収縮性であるため、洗濯によって縮むことがなく、そのため布団カバーの洗濯によって布団綿２への被着が困難になったり、外観が低下したりすることもない。
【００２２】
本発明の詳細を実施例で説明する。本発明はこれらの実施例によってなんら限定されるものではない。
【実施例１】
【００２３】
以下、図面に示す実施例に基づいて本発明を更に詳細に説明する。
図１は本発明に係る敷き布団１の１例の斜視図であり、図より明らかなように敷布団１の外観は、布団綿を収容する、上面がキルティングした布団カバー３が見えている。四角形状の該布団カバー３の上下両面の境に設けられたファスナー９が、布団カバーの一辺全体とその両側の隣接辺の一部だけに連続して、全体としてコ字状に設けられている。
【００２４】
布団綿２は、ポリエステル繊維を固めたもので、図２の如く一部を熱融着させて波板状としたものであり、特許文献３の記載に準拠して製造される寝装品材料の一つである。
図３は四角形状の該布団カバーの上下両面の境に設けられたファスナー９が、布団カバーの一辺全体とその両側の隣接辺の一部だけに連続して、全体としてコ字状に設けられていることを概略的に示したものであり、まず、布団カバー３内に敷き布団１を入れ収納し、布団カバー３の開口部をファスナー９の一部閉じた状態を示している。布団カバー３は、布団綿２の少なくとも上面を被覆する上面被覆部は比較的緻密な表地３−１と比較的粗い組織の裏地３−２とで中綿を挟んでキルティングで接結されて、袋状に形成されている。布団綿２はスベリの良いキルティング生地を介して布団綿２と接しているので、布団カバー３内を容易に移動させることができるので、布団カバー３が布団綿２から簡単に外して洗濯することができ、洗濯した後に簡単に入れることができる敷き布団１を構成している。
【００２５】
図６は、波板状の布団綿２の製造方法を概略的に示したものであり、段落［０００９］の［布団綿］、［００１２］〜［００１４］などの［布団綿の製造］に記載のとおりである。
図４は四角形状の該布団カバーが、マチ付きで両面キルティング生地を用い、コ字状に設けられているファスナーが、マチの部分の中間位置に設けられている例、図５は、チ付きで片面キルティング生地を用い、コ字状に設けられているファスナーが、マチの部分の中間位置に設けられている例をそれぞれ概略的に示したものである。
これらの敷布団を洗濯する際には、ファスナー９のエレメント１０を引き離し、布団カバー３から布団綿２を分離し、布団カバー３のみを洗濯機に入れる。
布団カバー３は、表地および裏地には、洗濯でほとんど収縮しない低収縮性の布地であるポリエステル織物が用いられる。
【符号の説明】
【００２６】
１  敷き布団
２  布団綿
３  布団カバー
３−１  表地
３−２  裏地
４  表面側小突条
５  裏面側小突条
６  表面側凹部
７  裏面側凹部
８  キルティングの模様
９  ファスナー
１０  （ファスナーの）エレメント
１１  熱風炉
１２  冷却炉
１３  回転ロール
１３ａ  回転ロール１３の羽根
１４  回転ロール
１４ａ  回転ロール１４の羽根
【図１】
2012005685.tif 000003
【図２】
2012005685.tif 000004
【図３】
2012005685.tif 000005
【図４】
2012005685.tif 000006
【図５】
2012005685.tif 000007
【図６】
2012005685.tif 000008